(57)【要約】【課題】メディエーションシステム側がＣＤＲファイルの収集状況を監視することによって、ＣＤＲファイルの収集に異常が発生したことを検知できる通信情報収集システムを提供する。【解決手段】通信情報収集システムのファイル送信手段は、レイティングシステムに通信情報ファイルを送信し、ファイル受信記録手段は、前記レイティングシステムが前記通信情報ファイルを受信した旨の受信通知に応じて、前記送信手段によって送信した通信情報ファイルが受信されたことを記録し、ファイル収集状況監視手段は、前記ファイル受信記録手段によって受信されたことが記録されておらず、かつ生成されてから一定時間以上経過している通信情報ファイルがあるか否かを、一定時間毎に判断することによって、前記レイティングシステムのファイル収集状況を監視する。【選択図】図１
2008141285.tif 000002
【特許請求の範囲】
【請求項１】
通信サービスにおける通信情報ファイルを収集し、該通信情報ファイルをもとに課金計算を行うレイティングシステムに対して、該通信情報ファイルを送信する通信情報収集システムであって、
前記レイティングシステムに通信情報ファイルを送信するファイル送信手段と、
前記レイティングシステムが前記通信情報ファイルを受信した旨の受信通知に応じて、前記送信手段によって送信した通信情報ファイルが受信されたことを記録するファイル受信記録手段と、
前記ファイル受信記録手段によって受信されたことが記録されておらず、かつ生成されてから一定時間以上経過している通信情報ファイルがあるか否かを、一定時間毎に判断することによって、前記レイティングシステムのファイル収集状況を監視するファイル収集状況監視手段
を具備することを特徴とする通信情報収集システム。
【請求項２】
通信サービスにおける通信情報ファイルを収集し、該通信情報ファイルをもとに課金計算を行うレイティングシステムに対して、該通信情報ファイルを送信する通信情報収集システムであって、
前記レイティングシステムに通信情報ファイルを送信する送信手段と、
前記レイティングシステムからのファイル名変更要求に応じて、前記送信手段によって送信した通信情報ファイルのファイル名を変更するファイル名変更手段と、
前記ファイル名変更手段によってファイル名が変更されておらず、かつ生成されてから一定時間以上経過している通信情報ファイルがあるか否かを、一定時間毎に判断することによって、前記レイティングシステムのファイル収集状況を監視するファイル収集状況監視手段
を具備することを特徴とする通信情報収集システム。
【請求項３】
通信サービスにおける通信情報ファイルを収集し、該通信情報ファイルをもとに課金計算を行うレイティングシステムと、該レイティングシステムと通信回線を介して接続されており、該レイティングシステムに対して前記通信情報ファイルを送信するメディエーションシステムからなる通信情報処理システムであって、
前記レイティングシステムは、
前記メディエーションシステムに対して、通信情報ファイルの送信を要求するファイル送信要求手段と、
前記ファイル送信要求手段が要求した通信情報ファイルを受信するファイル受信手段と、
前記メディエーションシステムに対して、前記ファイル受信手段によって受信した通信情報ファイルのファイル名の変更を要求するファイル名変更要求手段
を具備し、
前記メディエーションシステムは、
前記ファイル送信要求手段からのファイル送信要求に応じて、要求された通信情報ファイルを、前記レイティングシステムに対して送信する送信手段と、
前記ファイル名変更要求手段からのファイル名変更要求に応じて、前記送信手段によって送信した通信情報ファイルのファイル名を変更するファイル名変更手段と、
前記ファイル名変更手段によってファイル名が変更されておらず、かつ生成されてから一定時間以上経過している通信情報ファイルがあるか否かを、一定時間毎に判断することによって、前記レイティングシステムのファイル収集状況を監視するファイル収集状況監視手段
を具備することを特徴とする通信情報処理システム。
【請求項４】
通信サービスにおける通信情報ファイルを収集し、該通信情報ファイルをもとに課金計算を行うレイティングシステムへ該通信情報ファイルを送信する通信情報収集システムにより実行される監視プログラムであって、
前記通信情報収集システムに、
前記レイティングシステムへ通信情報ファイルを送信し、該レイティングシステムが前記通信情報ファイルを受信した旨の通知を受信して、該受信を記録し、
前記記録がされておらず、かつ生成されてから一定時間以上経過している通信情報ファイルがあるか否かを、一定時間毎に判断することによって、前記通信情報ファイルの収集状況を監視する
ことを実行させるための監視プログラム。
【請求項５】
通信サービスにおける通信情報ファイルを収集し、該通信情報ファイルをもとに課金計算を行うレイティングシステムへ該通信情報ファイルを送信する通信情報収集システムにより実行される監視プログラムであって、
前記通信情報収集システムに、
前記レイティングシステムへ通信情報ファイルを送信し、該レイティングシステムからのファイル名変更要求を受信して、前記送信した通信情報ファイルのファイル名を変更し、
ファイル名が変更されておらず、かつ生成されてから一定時間以上経過している通信情報ファイルがあるか否かを、一定時間毎に判断することによって、前記通信情報ファイルの収集状況を監視する
ことを実行させるための監視プログラム。
【請求項６】
通信サービスにおける通信情報ファイルを収集し、該通信情報ファイルをもとに課金計算を行うレイティングシステムと、該レイティングシステムと通信回線を介して接続されており、該レイティングシステムに対して前記通信情報ファイルを送信するメディエーションシステムからなる通信情報処理システム内の前記レイティングシステムと前記メディエーションシステムに実行させるための通信情報処理プログラムであって、
前記レイティングシステムに、
前記メディエーションシステムに対して、通信情報ファイルの送信を要求し、
前記要求した通信情報ファイルを受信し、
前記メディエーションシステムに対して、前記受信した通信情報ファイルのファイル名の変更を要求する
ことを実行させ、
前記メディエーションシステムに、
前記レイティングシステムからのファイル送信要求に応じて、要求された通信情報ファイルを、該レイティングシステムに対して送信し、
前記レイティングシステムからのファイル名変更要求に応じて、前記送信した通信情報ファイルのファイル名を変更し、
ファイル名が変更されておらず、かつ生成されてから一定時間以上経過している通信情報ファイルがあるか否かを、一定時間毎に判断することによって、前記通信情報ファイルの収集状況を監視する
ことを実行させるための通信情報処理プログラム。
【請求項７】
通信サービスにおける通信情報ファイルを収集し、該通信情報ファイルをもとに課金計算を行うレイティングシステムに対して、該通信情報ファイルを送信する通信情報収集システムが行う通信情報収集方法であって、
前記通信情報収集システムは、
前記レイティングシステムに通信情報ファイルを送信し、
前記レイティングシステムが前記通信情報ファイルを受信した旨の受信通知に応じて、前記送信した通信情報ファイルが受信されたことを記録し、
受信されたことが記録されておらず、かつ生成されてから一定時間以上経過している通信情報ファイルがあるか否かを、一定時間毎に判断することによって、前記レイティングシステムのファイル収集状況を監視する
ことを特徴とする通信情報収集方法。
【請求項８】
通信サービスにおける通信情報ファイルを収集し、該通信情報ファイルをもとに課金計算を行うレイティングシステムに対して、該通信情報ファイルを送信する通信情報収集システムが行う通信情報収集方法であって、
前記通信情報収集システムは、
前記レイティングシステムに通信情報ファイルを送信し、
前記レイティングシステムからのファイル名変更要求に応じて、前記送信した通信情報ファイルのファイル名を変更し、
ファイル名が変更されておらず、かつ生成されてから一定時間以上経過している通信情報ファイルがあるか否かを、一定時間毎に判断することによって、前記レイティングシステムのファイル収集状況を監視する
ことを特徴とする通信情報収集方法。
【請求項９】
通信サービスにおける通信情報ファイルを収集し、該通信情報ファイルをもとに課金計算を行うレイティングシステムと、該レイティングシステムと通信回線を介して接続されており、該レイティングシステムに対して前記通信情報ファイルを送信するメディエーションシステムを有する通信情報処理システムが行う通信情報処理方法であって、
前記レイティングシステムは、
前記メディエーションシステムに対して、通信情報ファイルの送信を要求し、
前記要求した通信情報ファイルを受信し、
前記メディエーションシステムに対して、前記受信した通信情報ファイルのファイル名の変更を要求し、
前記メディエーションシステムは、
前記レイティングシステムからのファイル送信要求に応じて、要求された前記通信情報ファイルを、該レイティングシステムに対して送信し、
前記レイティングシステムからのファイル名変更要求に応じて、前記送信した通信情報ファイルのファイル名を変更し、
ファイル名が変更されておらず、かつ生成されてから一定時間以上経過している通信情報ファイルがあるか否かを、一定時間毎に判断することによって、前記レイティングシステムのファイル収集状況を監視する
ことを特徴とする通信情報処理方法。
【発明の詳細な説明】
【技術分野】
【０００１】
本発明は、通信サービスにおける通信情報ファイルを収集し、該通信情報ファイルをもとに課金計算を行うレイティングシステムに対して、該通信情報ファイルを送信する通信情報収集システム、通信情報処理システム、監視プログラム、通信情報処理プログラム、通信情報収集方法および通信情報処理方法に関する。
【背景技術】
【０００２】
携帯電話等に代表される通信サービスの料金計算には、通信情報（ＣＤＲ：Ｃｈａｒｇｉｎｇ  Ｄａｔａ  Ｒｅｃｏｒｄ／Ｃａｌｌ  Ｄｅｔａｉｌ  Ｒｅｃｏｒｄ／Ｃａｌｌ  Ｄａｔａ  Ｒｅｃｏｒｄ）ファイルが必要である。つまり、各地に点在している基地局から通信情報を一箇所に集め、その通信情報から料金計算を行えるように、その情報を変更し、更に料金計算を行うシステムに送信する必要がある。つまり、ＣＤＲファイルを収集し、そのＣＤＲファイルをもとに課金計算を行うレイティングシステムと、そのレイティングシステムと通信ネットワークを介して接続されており、レイティングシステムに対してＣＤＲファイルを送信するメディエーションシステムがあり、その両者のシステム間でＣＤＲファイルの送受信が行われている。なお、メディエーションシステムとは、ネットワーク上のデータの収集、編集、補完、転送の４つを基本機能とし、例えば、顧客毎のユーセージデータ（利用時間情報、パケット利用情報、コンテンツ利用情報、電子メール利用情報、認証情報等）を収集し、データを編集・加工して課金サーバーに転送する役割を担うものである。
しかし、そのＣＤＲファイルは膨大な量である一方、料金に関わることであるので正確にかつ漏れなく処理を行う必要がある。
そこで、ＣＤＲファイルの収集の状況に関して正常に動作しているか否かを監視する要求がある。
【０００３】
これらに関連する技術として、例えば、特許文献１には、柔軟な料金課金を実現することを課題とし、ＧＧＳＮとＩＰ網とを結ぶ伝送路を通過するＩＰパケットを分岐装置で分岐してパケット情報生成手段に供給し、アプリケーションセッションごとにその開始／終了時刻、ソケット、ＭＳＩＰアドレス、ＵＲＬ、ＭＩＭＥタイプ、各レイヤーごとの伝送バイト数及び再送バイト数を記録したパケットログを作成し、アカウンティングのＲＡＤＩＵＳサーバー機能を有するセッション情報生成手段は、各ユーザーのＲＡＤＩＵＳセッションの開始／終了時刻を記録したセッションログを作成し、一次ＣＤＲ生成手段でパケットログとセッションログを突き合わせ、ソケットやＵＲＬに応じて設定されたタリフクラスごとに選択されたレイヤーのデータ量を記録したＣＤＲを作成し、ＣＤＲファイル出力手段に供給する技術が開示されている。
【特許文献１】特開２００４−３４９９２５号公報
【発明の開示】
【発明が解決しようとする課題】
【０００４】
しかしながら、ＣＤＲファイルの収集の状況をレイティングシステム側だけで行うと、次のような問題点が生じうる。
つまり、（１）レイティングシステムとメディエーションシステムとを接続している通信ネットワークの高負荷等の要因で、ＣＤＲファイル収集が遅延するような場合、（２）例えばハードウェア的な故障によるシステム障害等の要因で、ＣＤＲファイル収集を妨げることが発生した場合等で、ＣＤＲファイルをレイティングシステムが取り込めないという事態が発生し得る。そして、その事態は、レイティングシステム側だけでは把握できないということが起こり得る。
【０００５】
本発明は、このような問題点に着目してなされたもので、上記（１）、（２）の場合等であっても、メディエーションシステム側がＣＤＲファイルの収集状況を監視することによって、障害が発生したことを検知し、アラームを発生することができるようにした通信情報収集システム、通信情報処理システム、監視プログラム、通信情報処理プログラム、通信情報収集方法および通信情報処理方法を提供することを目的としている。
【課題を解決するための手段】
【０００６】
かかる目的を達成するための本発明の要旨とするところは、次の各項の発明に存する。
［１］  通信サービスにおける通信情報ファイルを収集し、該通信情報ファイルをもとに課金計算を行うレイティングシステムに対して、該通信情報ファイルを送信する通信情報収集システムであって、
前記レイティングシステムに通信情報ファイルを送信するファイル送信手段と、
前記レイティングシステムが前記通信情報ファイルを受信した旨の受信通知に応じて、前記送信手段によって送信した通信情報ファイルが受信されたことを記録するファイル受信記録手段と、
前記ファイル受信記録手段によって受信されたことが記録されておらず、かつ生成されてから一定時間以上経過している通信情報ファイルがあるか否かを、一定時間毎に判断することによって、前記レイティングシステムのファイル収集状況を監視するファイル収集状況監視手段
を具備することを特徴とする通信情報収集システム。
【０００７】
［２］  通信サービスにおける通信情報ファイルを収集し、該通信情報ファイルをもとに課金計算を行うレイティングシステムに対して、該通信情報ファイルを送信する通信情報収集システムであって、
前記レイティングシステムに通信情報ファイルを送信する送信手段と、
前記レイティングシステムからのファイル名変更要求に応じて、前記送信手段によって送信した通信情報ファイルのファイル名を変更するファイル名変更手段と、
前記ファイル名変更手段によってファイル名が変更されておらず、かつ生成されてから一定時間以上経過している通信情報ファイルがあるか否かを、一定時間毎に判断することによって、前記レイティングシステムのファイル収集状況を監視するファイル収集状況監視手段
を具備することを特徴とする通信情報収集システム。
【０００８】
［３］  通信サービスにおける通信情報ファイルを収集し、該通信情報ファイルをもとに課金計算を行うレイティングシステムと、該レイティングシステムと通信回線を介して接続されており、該レイティングシステムに対して前記通信情報ファイルを送信するメディエーションシステムからなる通信情報処理システムであって、
前記レイティングシステムは、
前記メディエーションシステムに対して、通信情報ファイルの送信を要求するファイル送信要求手段と、
前記ファイル送信要求手段が要求した通信情報ファイルを受信するファイル受信手段と、
前記メディエーションシステムに対して、前記ファイル受信手段によって受信した通信情報ファイルのファイル名の変更を要求するファイル名変更要求手段
を具備し、
前記メディエーションシステムは、
前記ファイル送信要求手段からのファイル送信要求に応じて、要求された通信情報ファイルを、前記レイティングシステムに対して送信する送信手段と、
前記ファイル名変更要求手段からのファイル名変更要求に応じて、前記送信手段によって送信した通信情報ファイルのファイル名を変更するファイル名変更手段と、
前記ファイル名変更手段によってファイル名が変更されておらず、かつ生成されてから一定時間以上経過している通信情報ファイルがあるか否かを、一定時間毎に判断することによって、前記レイティングシステムのファイル収集状況を監視するファイル収集状況監視手段
を具備することを特徴とする通信情報処理システム。
【０００９】
［４］  通信サービスにおける通信情報ファイルを収集し、該通信情報ファイルをもとに課金計算を行うレイティングシステムへ該通信情報ファイルを送信する通信情報収集システムにより実行される監視プログラムであって、
前記通信情報収集システムに、
前記レイティングシステムへ通信情報ファイルを送信し、該レイティングシステムが前記通信情報ファイルを受信した旨の通知を受信して、該受信を記録し、
前記記録がされておらず、かつ生成されてから一定時間以上経過している通信情報ファイルがあるか否かを、一定時間毎に判断することによって、前記通信情報ファイルの収集状況を監視する
ことを実行させるための監視プログラム。
【００１０】
［５］  通信サービスにおける通信情報ファイルを収集し、該通信情報ファイルをもとに課金計算を行うレイティングシステムへ該通信情報ファイルを送信する通信情報収集システムにより実行される監視プログラムであって、
前記通信情報収集システムに、
前記レイティングシステムへ通信情報ファイルを送信し、該レイティングシステムからのファイル名変更要求を受信して、前記送信した通信情報ファイルのファイル名を変更し、
ファイル名が変更されておらず、かつ生成されてから一定時間以上経過している通信情報ファイルがあるか否かを、一定時間毎に判断することによって、前記通信情報ファイルの収集状況を監視する
ことを実行させるための監視プログラム。
【００１１】
［６］  通信サービスにおける通信情報ファイルを収集し、該通信情報ファイルをもとに課金計算を行うレイティングシステムと、該レイティングシステムと通信回線を介して接続されており、該レイティングシステムに対して前記通信情報ファイルを送信するメディエーションシステムからなる通信情報処理システム内の前記レイティングシステムと前記メディエーションシステムに実行させるための通信情報処理プログラムであって、
前記レイティングシステムに、
前記メディエーションシステムに対して、通信情報ファイルの送信を要求し、
前記要求した通信情報ファイルを受信し、
前記メディエーションシステムに対して、前記受信した通信情報ファイルのファイル名の変更を要求する
ことを実行させ、
前記メディエーションシステムに、
前記レイティングシステムからのファイル送信要求に応じて、要求された通信情報ファイルを、該レイティングシステムに対して送信し、
前記レイティングシステムからのファイル名変更要求に応じて、前記送信した通信情報ファイルのファイル名を変更し、
ファイル名が変更されておらず、かつ生成されてから一定時間以上経過している通信情報ファイルがあるか否かを、一定時間毎に判断することによって、前記通信情報ファイルの収集状況を監視する
ことを実行させるための通信情報処理プログラム。
【００１２】
［７］  通信サービスにおける通信情報ファイルを収集し、該通信情報ファイルをもとに課金計算を行うレイティングシステムに対して、該通信情報ファイルを送信する通信情報収集システムが行う通信情報収集方法であって、
前記通信情報収集システムは、
前記レイティングシステムに通信情報ファイルを送信し、
前記レイティングシステムが前記通信情報ファイルを受信した旨の受信通知に応じて、前記送信した通信情報ファイルが受信されたことを記録し、
受信されたことが記録されておらず、かつ生成されてから一定時間以上経過している通信情報ファイルがあるか否かを、一定時間毎に判断することによって、前記レイティングシステムのファイル収集状況を監視する
ことを特徴とする通信情報収集方法。
【００１３】
［８］  通信サービスにおける通信情報ファイルを収集し、該通信情報ファイルをもとに課金計算を行うレイティングシステムに対して、該通信情報ファイルを送信する通信情報収集システムが行う通信情報収集方法であって、
前記通信情報収集システムは、
前記レイティングシステムに通信情報ファイルを送信し、
前記レイティングシステムからのファイル名変更要求に応じて、前記送信した通信情報ファイルのファイル名を変更し、
ファイル名が変更されておらず、かつ生成されてから一定時間以上経過している通信情報ファイルがあるか否かを、一定時間毎に判断することによって、前記レイティングシステムのファイル収集状況を監視する
ことを特徴とする通信情報収集方法。
【００１４】
［９］  通信サービスにおける通信情報ファイルを収集し、該通信情報ファイルをもとに課金計算を行うレイティングシステムと、該レイティングシステムと通信回線を介して接続されており、該レイティングシステムに対して前記通信情報ファイルを送信するメディエーションシステムを有する通信情報処理システムが行う通信情報処理方法であって、
前記レイティングシステムは、
前記メディエーションシステムに対して、通信情報ファイルの送信を要求し、
前記要求した通信情報ファイルを受信し、
前記メディエーションシステムに対して、前記受信した通信情報ファイルのファイル名の変更を要求し、
前記メディエーションシステムは、
前記レイティングシステムからのファイル送信要求に応じて、要求された前記通信情報ファイルを、該レイティングシステムに対して送信し、
前記レイティングシステムからのファイル名変更要求に応じて、前記送信した通信情報ファイルのファイル名を変更し、
ファイル名が変更されておらず、かつ生成されてから一定時間以上経過している通信情報ファイルがあるか否かを、一定時間毎に判断することによって、前記レイティングシステムのファイル収集状況を監視する
ことを特徴とする通信情報処理方法。
【００１５】
前記本発明は次のように作用する。
本発明における通信情報収集システムは、レイティングシステムに対して、通信情報ファイルを送信し、前記レイティングシステムからのファイル名変更要求に応じて、前記送信した通信情報ファイルのファイル名を変更し、ファイル名が変更されておらず、かつ生成されてから一定時間以上経過している通信情報ファイルがあるか否かを、一定時間毎に判断することによって、前記レイティングシステムのファイル収集状況を監視する。
これによって、ＣＤＲファイルの収集に異常が発生したことを、メディエーションシステム側が検知できるようになる。
【００１６】
本発明における通信情報収集システム、通信情報処理システム、監視プログラム、通信情報処理プログラム、通信情報収集方法および通信情報処理方法では、レイティングシステムは、メディエーションシステムに対して、通信情報ファイルの送信を要求し、前記要求した通信情報ファイルを受信し、前記メディエーションシステムに対して、前記受信した通信情報ファイルのファイル名の変更を要求し、該メディエーションシステムは、前記レイティングシステムからのファイル送信要求に応じて、要求された前記通信情報ファイルを、該レイティングシステムに対して送信し、該レイティングシステムからのファイル名変更要求に応じて、前記送信した通信情報ファイルのファイル名を変更し、ファイル名が変更されておらず、かつ生成されてから一定時間以上経過している通信情報ファイルがあるか否かを、一定時間毎に判断することによって、前記レイティングシステムのファイル収集状況を監視する。
これによって、ＣＤＲファイルの収集に異常が発生したことを、メディエーションシステム側が検知できるようになる。
【発明の効果】
【００１７】
本発明にかかる通信情報収集システム、通信情報処理システム、監視プログラム、通信情報処理プログラム、通信情報収集方法および通信情報処理方法によれば、メディエーションシステム側がＣＤＲファイルの収集状況を監視することによって、ＣＤＲファイルの収集に異常が発生したことを検知できるようになり、ＣＤＲファイルの収集異常による請求漏れ、請求遅延のリスクを回避することができるようになる。
【発明を実施するための最良の形態】
【００１８】
以下、図面に基づき本発明の好適な一実施の形態を説明する。
各図は本発明の一実施の形態を示している。図１は、本発明の一実施の形態の概念的なモジュール構成図を示している。
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、システムおよび方法の説明をも兼ねている。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散または並列環境におけるコンピュータによって１モジュールが複数コンピュータで実行されてもよい。また、以下、「接続」とは物理的な接続の他、論理的な接続を含む。
また、システムとは、複数のコンピュータ、ハードウェア、装置等が通信ネットワーク等で接続されて構成されるほか、１つのコンピュータ、ハードウェア、装置等によって実現される場合も含まれる。
また、通信サービスとして、携帯電話を使用した通信サービスを例示する。
【００１９】
本実施の形態は、図１に示すように、複数のネットワークエレメント（Ｎｅｔｗｏｒｋ  Ｅｌｅｍｅｎｔ、図１内の１０１、１０２が該当し、２個以上であってもよい）、メディエーションシステム２００、レイティングシステム３００を備えている。ネットワークエレメント１０１、ネットワークエレメント１０２とメディエーションシステム２００、メディエーションシステム２００とレイティングシステム３００とは通信ネットワークを介して接続されている。なお、ネットワークエレメント１０１とネットワークエレメント１０２は同様である。
【００２０】
ネットワークエレメント１０１，１０２は、通信交換網を形成する交換機等の単位機器をいい、電気通信トラフィックの処理を行うとともに、トラフィック処理後の通信情報（Ｒａｗ  ＣＤＲ）を集め、Ｒａｗ  ＣＤＲファイルの作成等を行う。
より具体的には、ネットワークエレメント１０１は、Ｒａｗ  ＣＤＲファイル記憶モジュール１１１、通信モジュール１２１を有し、メディエーションシステム２００と通信ネットワークを介して接続されている。
Ｒａｗ  ＣＤＲファイル記憶モジュール１１１は、集めたＣＤＲをファイル（Ｒａｗ  ＣＤＲファイル）として記憶する。通信モジュール１２１は、Ｒａｗ  ＣＤＲファイル記憶モジュール１１１内のＲａｗ  ＣＤＲファイルをメディエーションシステム２００の通信（ＮＥ）モジュール２１０へ送信（引き渡し）する。なお、Ｒａｗ  ＣＤＲとは、後述の課金処理をする前のＣＤＲであり、電気通信サービスの通信毎（音声通話、ＳＭＳ通信、その他イベント課金対象となる通信毎）に発生する。例えば、Ｒａｗ  ＣＤＲの具体的な情報として、その通信毎に、発信側の携帯電話番号（ＭＳＮ：Ｍｏｂｉｌｅ  Ｓｕｂｓｃｒｉｂｅｒ  Ｎｕｍｂｅｒ）、着信側の携帯電話番号、通話開始時刻、通話終了時刻等がある。
【００２１】
メディエーションシステム（Ｍｅｄｉａｔｉｏｎ  Ｓｙｓｔｅｍ）２００は、ネットワークエレメント１０１等が生成したＲａｗ  ＣＤＲファイルを取得し、そのＲａｗ  ＣＤＲファイルをフィルタリング・フォーマット変換等を行い、レイティングシステム３００向けに課金ＣＤＲファイルを送信（引き渡し）するシステムである。
より具体的には、メディエーションシステム２００は、通信（ＮＥ）モジュール２１０、Ｒａｗ  ＣＤＲファイル記憶モジュール２２０、フィルタリング・フォーマット変換モジュール２３０、課金（前）ＣＤＲファイル記憶モジュール２４０、通信（ＲＳ）モジュール２５０、ファイル送信モジュール２６０、ファイル名変更モジュール２７０、ファイル収集状況監視モジュール２８０を有しており、ネットワークエレメント１０１、ネットワークエレメント１０２、レイティングシステム３００と通信ネットワークを介して接続されている。
【００２２】
通信（ＮＥ）モジュール２１０は、ネットワークエレメント１０１の通信モジュール１２１、ネットワークエレメント１０２の通信モジュール１２２と接続されており、ネットワークエレメント１０１、ネットワークエレメント１０２へポーリングアクセスして、各エレメントが保持するＲａｗ  ＣＤＲファイルを受信（取得）する。そして、そのＲａｗ  ＣＤＲファイルをＲａｗ  ＣＤＲファイル記憶モジュール２２０に渡す。
Ｒａｗ  ＣＤＲファイル記憶モジュール２２０は、通信（ＮＥ）モジュール２１０から渡されたＲａｗ  ＣＤＲファイルを記憶する。
フィルタリング・フォーマット変換モジュール２３０は、Ｒａｗ  ＣＤＲファイル記憶モジュール２２０内のＲａｗ  ＣＤＲファイルを読み込んで、フィルタリング・フォーマット変換等を行う。より具体的には、正当なＣＤＲであるかをチェックした後、課金処理に不要なＣＤＲを削除し、レイティングシステム３００で課金処理を行うためにＲａｗ  ＣＤＲファイルから課金（前）ＣＤＲファイルを作成する。そして、その課金（前）ＣＤＲファイルを課金（前）ＣＤＲファイル記憶モジュール２４０へ渡す。なお、課金（前）ＣＤＲファイルとは、フィルタリング・フォーマット変換モジュール２３０で処理した結果、顧客請求可能と判断されたＲａｗ  ＣＤＲを示す。この課金（前）ＣＤＲファイルは、レイティングシステム３００のポーリング動作によって収集される。
【００２３】
課金（前）ＣＤＲファイル記憶モジュール２４０は、フィルタリング・フォーマット変換モジュール２３０から渡された課金（前）ＣＤＲファイルを記憶する。
通信（ＲＳ）モジュール２５０は、レイティングシステム３００の通信モジュール３１０と通信ネットワークを介して通信を行う。
ファイル送信モジュール２６０は、課金（前）ＣＤＲファイル記憶モジュール２４０に記憶されている課金（前）ＣＤＲファイルを通信（ＲＳ）モジュール２５０を介してレイティングシステム３００へ送信する。
ファイル名変更モジュール２７０は、通信（ＲＳ）モジュール２５０によって受信したレイティングシステム３００からのファイル名変更要求に応じて、課金（前）ＣＤＲファイル記憶モジュール２４０に記憶されている送信済み課金（前）ＣＤＲファイルのファイル名を変更する。具体的には、ファイル名の先頭に「Ｘ＿」を付与する。
【００２４】
ファイル収集状況監視モジュール２８０は、一定期間（例えば、１時間等）毎に、以下の条件（Ａ１）、（Ａ２）を満たしているか否かを判断する。
（Ａ１）レイティングシステム３００によって収集されていない課金（前）ＣＤＲファイル（ファイル名に「Ｘ＿」が付与されていない）がある。
（Ａ２）課金（前）ＣＤＲファイルを生成後（フィルタリング・フォーマット変換モジュール２３０によるフィルタリング・フォーマット変換後）、一定時間（ファイル収集状況監視モジュール２８０の監視の期間である一定期間とは異なっていてもよい）が経過しているその課金（前）ＣＤＲファイルがある。
上記（Ａ１）かつ（Ａ２）の条件を満たしている場合は、レイティングシステム３００による課金（前）ＣＤＲファイルの収集に異常が発生している旨のアラームを通知する。
【００２５】
レイティングシステム（Ｒａｔｉｎｇ  Ｓｙｓｔｅｍ）３００は、メディエーションシステム２００が生成する課金（前）ＣＤＲファイルを収集し、課金（後）ＣＤＲを生成するシステムである。
より具体的には、レイティングシステム３００は、通信モジュール３１０、課金（後）ＣＤＲファイル記憶モジュール３２０、ファイル要求モジュール３３０、ファイル名変更要求モジュール３４０、課金処理モジュール３５０を有しており、メディエーションシステム２００と通信ネットワークを介して接続されている。
【００２６】
通信モジュール３１０は、メディエーションシステム２００の通信（ＲＳ）モジュール２５０と通信ネットワークを介して通信を行う。
ファイル要求モジュール３３０は、通信モジュール３１０を介して、メディエーションシステム２００に対して課金（前）ＣＤＲファイルを要求する。
そして、課金処理モジュール３５０は、メディエーションシステム２００から取得した課金（前）ＣＤＲファイルの記述内容を参照し、通信タリフを用いた課金演算を行い、演算結果である料金情報を課金（前）ＣＤＲファイルに記録追加して（課金（後）ＣＤＲファイルの生成）、課金（後）ＣＤＲファイル記憶モジュール３２０へ渡す。
より具体的には、課金処理モジュール３５０は、課金（前）ＣＤＲファイルから発信側ＭＳＮを特定し、レイティングシステム３００が有する（図示しない）顧客情報ＤＢを、特定したＭＳＮをキーとして参照し、単位通信あたりの料金額（タリフという。）を取得する。そして、取得したタリフをもとに、課金（前）ＣＤＲ内に記述される通話開始時刻及び通話終了時刻から導き出される通信時間と乗算し、ＣＤＲ毎の通信料金額を算出する。さらに算出した通信料金額をＣＤＲファイルに追加記録し、課金（後）ＣＤＲファイルの生成に至ることとなる。ここで、顧客情報ＤＢはレイティングシステム３００の外部に構成するようにしてもよい。
課金（後）ＣＤＲファイル記憶モジュール３２０は、課金処理モジュール３５０によって生成された課金（後）ＣＤＲファイルを記憶する。
ファイル名変更要求モジュール３４０は、課金（前）ＣＤＲファイルを受信し終わった時点で、通信モジュール３１０を介してメディエーションシステム２００に対して、課金（前）ＣＤＲファイルを受信した旨を送信する。より具体的には、受信終了した課金（前）ＣＤＲファイルのファイル名を変更する要求をメディエーションシステム２００に送信する。
ファイル名変更要求モジュール３４０による処理が終了した後に、その課金（前）ＣＤＲファイルをもとにして１通信毎に課金処理を行う。そして、利用者に対して請求処理を行う料金システムへ課金処理後の課金（後）ＣＤＲファイルを渡す。料金システムは、取得した課金（後）ＣＤＲファイルから月次等、所定期間の通信料金額を使用料として登算処理した後、利用者が契約した料金プラン、割引サービスに基づいて、請求すべき金額を計算し、請求書の発行等を行う。
【００２７】
図２を用いて、携帯電話の通信サービスを使用することによってＣＤＲファイル（Ｒａｗ  ＣＤＲファイル）が発生することを説明する。ここでは、携帯電話４０１が携帯電話４０２と通信、または携帯電話４０１がインターネット４０９内のＷＥＢページを閲覧することを行うとする。
携帯電話４０１、携帯電話４０２は、無線通信回線を介して、それぞれ基地局４０３、基地局４０４と接続し、基地局４０３と基地局４０４とを接続する通信回線網を介して、互いに通信を行う。
その際に、携帯電話４０１と携帯電話４０２との通信が通話である場合は、交換機であるＭＳＣ（Ｍｏｂｉｌｅ  ｓｅｒｖｉｃｅｓ  Ｓｗｉｔｃｈｉｎｇ  Ｃｅｎｔｅｒ、移動通信交換局）４０５が回線を接続（回線交換）させ、その通信情報（通話情報）をＣＤＲとして記録する。
また、携帯電話４０１と携帯電話４０２との通信がショートメッセージである場合は、ショートメッセージ用交換機であるＳＭＳＣ（Ｓｈｏｒｔ−Ｍｅｓｓａｇｅ  ｓｅｒｖｉｃｅｓ  Ｓｗｉｔｃｈｉｎｇ  Ｃｅｎｔｅｒ）４０６が回線を接続（メッセージ交換）させ、その通信情報をＣＤＲとして記録する。
また、携帯電話４０１がインターネット４０９内のＷＥＢページを閲覧する場合は、パケットデータ用交換機であるＧＳＮ（ＧＧＳＮ：Ｇａｔｅｗａｙ  ＧＰＲＳ  Ｓｕｐｐｏｒｔ  Ｎｏｄｅ  及び  ＳＧＳＮ：Ｓｅｒｖｉｃｅ  ＧＰＲＳ  Ｓｕｐｐｏｒｔ  Ｎｏｄｅを総称していう。）４０７がＷＧＷ（Ｗｅｂ  ＧａｔｅＷａｙ若しくはＭＧＷ：Ｍｅｄｉａ  ＧａｔｅＷａｙ）４０８を介してインターネット４０９と接続させ、その通信情報をＣＤＲとして記録する。
【００２８】
このようにＭＳＣ４０５、ＳＭＳＣ４０６、ＧＳＮ４０７で記録されたＣＤＲを各サービス単位の交換機であるネットワークエレメント１０１，１０２が集める。そして、その後に、図１を用いて説明したようにメディエーションシステム２００、レイティングシステム３００によって処理が行われる。
【００２９】
図３のフローチャートを用いて、メディエーションシステム２００とレイティングシステム３００間の通信処理手順としてＦＴＰ（Ｆｉｌｅ  Ｔｒａｎｓｆｅｒ  Ｐｒｏｔｏｃｏｌ）を例として説明する。メディエーションシステム２００がＦＴＰサーバーであり、レイティングシステム３００がＦＴＰクライアントである。
【００３０】
ステップＳ３０１では、レイティングシステム３００がメディエーションシステム２００に対して、ＩＰアドレスを指定してコネクションの接続要求を送信する。
ステップＳ３０２では、ステップＳ３０１に対応して、メディエーションシステム２００は通信の準備ができていれば、コネクション接続成功をレイティングシステム３００に送信する。
【００３１】
ステップＳ３０３では、レイティングシステム３００のファイル要求モジュール３３０がメディエーションシステム２００に対して、ファイル名（例えば、「ＢＩＬ＿１２３４．ｃｄｒ」）を指定して、ファイルの送信要求を送信する。
この時点で、例えば、メディエーションシステム２００内の課金（前）ＣＤＲファイル記憶モジュール２４０には、「ＢＩＬ＿１２３４．ｃｄｒ」と「ＢＩＬ＿１２３５．ｃｄｒ」の２つの課金（前）ＣＤＲファイルが格納されているとする。
なお、メディエーションシステム２００は、課金（前）ＣＤＲファイル名に含まれる番号順に課金（前）ＣＤＲファイルを生成する。したがって、レイティングシステム３００が送信要求する際のファイル名も番号順に指定することになる。
ステップＳ３０４では、ステップＳ３０３に対応して、メディエーションシステム２００のファイル送信モジュール２６０は課金（前）ＣＤＲファイル「ＢＩＬ＿１２３４．ｃｄｒ」をレイティングシステム３００に送信する。
これによって、レイティングシステム３００は課金（前）ＣＤＲファイルの収集に成功する。そして、課金処理モジュール３５０による課金処理の後、の課金（後）ＣＤＲファイル記憶モジュール３２０に、課金（後）ＣＤＲファイル「ＢＩＬ＿１２３４．ｃｄｒ」を格納する。
【００３２】
ステップＳ３０５では、レイティングシステム３００のファイル名変更要求モジュール３４０がメディエーションシステム２００に対して、課金（前）ＣＤＲファイル「ＢＩＬ＿１２３４．ｃｄｒ」のファイル名を「Ｘ＿ＢＩＬ＿１２３４．ｃｄｒ」というファイル名に変更する要求（ファイルリネーム）を送信する。
ステップＳ３０６では、ステップＳ３０５に対応して、メディエーションシステム２００のファイル名変更モジュール２７０は課金（前）ＣＤＲファイル「ＢＩＬ＿１２３４．ｃｄｒ」の名称を「Ｘ＿ＢＩＬ＿１２３４．ｃｄｒ」に変更する。そして、ファイル名変更が成功したことをレイティングシステム３００に通知する。
ファイル名変更された課金（後）ＣＤＲファイル（つまり、ファイル名の先頭に「Ｘ＿」が付与されたもの）は、収集済みファイルとして扱う。一定時間（ファイル収集状況監視モジュール２８０の監視期間である一定期間、または、条件（Ａ２）での一定期間とは異なっていてもよい）経過後に、メディエーションシステム２００は収集済みファイルを削除する。
【００３３】
ステップＳ３０７では、ステップＳ３０３と同様に、ファイル名に含まれる番号順にファイル収集を行う。つまり、レイティングシステム３００のファイル要求モジュール３３０がメディエーションシステム２００に対して、ファイル名（例えば、「ＢＩＬ＿１２３５．ｃｄｒ」）を指定して、ファイルの送信要求を送信する。
ステップＳ３０８では、ステップＳ３０４と同様に、ステップＳ３０７に対応して、メディエーションシステム２００のファイル送信モジュール２６０は課金ＣＤＲファイル「ＢＩＬ＿１２３５．ｃｄｒ」をレイティングシステム３００に送信する。
【００３４】
ステップＳ３０９では、ステップＳ３０５と同様に、レイティングシステム３００のファイル名変更要求モジュール３４０がメディエーションシステム２００に対して、課金（前）ＣＤＲファイル「ＢＩＬ＿１２３５．ｃｄｒ」のファイル名を「Ｘ＿ＢＩＬ＿１２３５．ｃｄｒ」というファイル名に変更する要求（ファイルリネーム）を送信する。
ステップＳ３１０では、ステップＳ３０６と同様に、ステップＳ３０９に対応して、メディエーションシステム２００のファイル名変更モジュール２７０は課金（前）ＣＤＲファイル「ＢＩＬ＿１２３５．ｃｄｒ」の名称を「Ｘ＿ＢＩＬ＿１２３５．ｃｄｒ」に変更する。そして、ファイル名変更が成功したことをレイティングシステム３００に通知する。
この時点では、レイティングシステム３００の課金（後）ＣＤＲファイル記憶モジュール３２０には「ＢＩＬ＿１２３４．ｃｄｒ」、「ＢＩＬ＿１２３５．ｃｄｒ」が格納されていることになる。メディエーションシステム２００の課金（前）ＣＤＲファイル記憶モジュール２４０には、「Ｘ＿ＢＩＬ＿１２３４．ｃｄｒ」、「Ｘ＿ＢＩＬ＿１２３５．ｃｄｒ」が格納されており、次の課金（前）ＣＤＲファイルはまだないとする。
【００３５】
ステップＳ３１１では、ステップＳ３０３と同様に、ファイル名に含まれる番号順にファイル収集を行う。つまり、レイティングシステム３００のファイル要求モジュール３３０がメディエーションシステム２００に対して、ファイル名（例えば、「ＢＩＬ＿１２３６．ｃｄｒ」）を指定して、ファイルの送信要求を送信する。
ステップＳ３１２では、要求された「ＢＩＬ＿１２３６．ｃｄｒ」は課金（前）ＣＤＲファイル記憶モジュール２４０にはないので、指定された課金（前）ＣＤＲファイルはないことを、メディエーションシステム２００はレイティングシステム３００に送信する。
【００３６】
ステップＳ３１３では、レイティングシステム３００は、指定した課金（前）ＣＤＲファイルがないので、メディエーションシステム２００にコネクションの切断を要求する。
ステップＳ３１４では、メディエーションシステム２００は、コネクションの切断を行い、コネクションの切断が成功したことをレイティングシステム３００に送信する。
ステップＳ３１５では、レイティングシステム３００はインターバルに入る。つまり、一定期間待つ。
【００３７】
ステップＳ３１６では、レイティングシステム３００はインターバルの後、リトライを行う。つまり、ステップＳ３０１と同様の処理を行う。
ステップＳ３１７でステップＳ３０２と同様の処理を行う。
ステップＳ３１８では、ステップＳ３１１と同様に、レイティングシステム３００のファイル要求モジュール３３０がメディエーションシステム２００に対して、「ＢＩＬ＿１２３６．ｃｄｒ」を指定して、ファイルの送信要求を送信する。
しかし、この時点でも、「ＢＩＬ＿１２３６．ｃｄｒ」は生成されていないとする。
したがって、ステップＳ３１９はステップＳ３１２、ステップＳ３２０はステップＳ３１３、ステップＳ３２１はステップＳ３１４、ステップＳ３２２はステップＳ３１５と同様である。以下、ステップＳ３１６〜ステップＳ３２２を繰り返す。レイティングシステム３００は、課金ＣＤＲファイルを番号順に収集するようにし、課金ＣＤＲファイルの収集漏れを防いでいる。
【００３８】
図３の例では、「ＢＩＬ＿１２３４．ｃｄｒ」、「ＢＩＬ＿１２３５．ｃｄｒ」は生成されているが、「ＢＩＬ＿１２３６．ｃｄｒ」は生成されていない状態を説明した。
次に図４を用いて、メディエーションシステム２００のファイル収集状況監視モジュール２８０が、ファイル情報テーブル５００を用いて、課金ＣＤＲファイルの収集状況を監視することについて説明する。
ファイル情報テーブル５００は、ファイル名欄５０１と生成日時欄５０２を有しており、ファイル名欄５０１はフィルタリング・フォーマット変換モジュール２３０によって生成された課金ＣＤＲファイル名（または課金（前）ＣＤＲファイル記憶モジュール２４０に記憶されている課金ＣＤＲファイル名）を記憶し、生成日時欄５０２はフィルタリング・フォーマット変換モジュール２３０によって生成された日時（または課金（前）ＣＤＲファイル記憶モジュール２４０に記憶された日時）を記憶する。
ファイル収集状況監視モジュール２８０は、ファイル情報テーブル５００を用いて、一定期間毎に、前述の条件（Ａ１）、（Ａ２）を満たしているか否かを判断する。例えば、図４に示したように「ＢＩＬ＿１２３６．ｃｄｒ」が生成されてから一定時間が経過している場合を説明する。「ＢＩＬ＿１２３６．ｃｄｒ」のファイル名には「Ｘ＿」が付与されていない。そして、「ＢＩＬ＿１２３６．ｃｄｒ」の生成後、一定時間が経過しているので、ファイル収集状況監視モジュール２８０は、レイティングシステム３００による課金ＣＤＲファイルの収集に異常が発生している旨のアラームを通知する。
これによって、レイティングシステム３００だけでは把握できない障害である、（１）レイティングシステム３００とメディエーションシステム２００とを接続している通信ネットワークの高負荷等の要因で、課金ＣＤＲファイル収集が遅延するような場合、（２）システム障害等の要因で、課金ＣＤＲファイル収集を妨げることが発生した場合等で、課金ＣＤＲファイルをレイティングシステム３００が取り込めないという事態（障害）の発生を検知することができる。
【００３９】
次に、メディエーションシステム２００のファイル収集状況監視モジュール２８０が課金（前）ＣＤＲファイルの収集状況を監視する第２の例について説明する。
前述の課金（前）ＣＤＲファイル（「ＢＩＬ＿＊＊＊＊．ｃｄｒ」及び「Ｘ＿ＢＩＬ＿＊＊＊＊．ｃｄｒ」）は課金（前）ＣＤＲファイル記憶モジュール２４０の所定のディレクトリ内に記録保存されている。
ここで、予めファイル収集状況監視モジュール２８０では、課金（前）ＣＤＲファイル記憶モジュール２４０内のファイル生成状況をチェックするタイミング期間である閾値が設定されている。この閾値を例えば、３時間と設定しておく。
次に、ファイル収集状況監視モジュール２８０は、ファイル生成状況のチェック時において、まず、所定のファイル名指定により、レイティングシステム３００で収集が済んでいない課金ＣＤＲファイルをリスティングする。具体的に、このリスティングでは、ワイルドカードを「＊」としたとき、「Ｘ＿」のついてないファイル、すなわち、「ＢＩＬ＿＊＊＊＊．ｃｄｒ」と指定して、対象のファイルをリスティングする。
これを、例えばＷｉｎｄｏｗｓ（登録商標）コマンドによる操作とすると、
＞ｄｉｒ  ＢＩＬ＿＊＊＊＊．ｃｄｒ
と指定することとなる。
【００４０】
次に、ファイル収集状況監視モジュール２８０は、リスティングしたファイルの生成日時を参照し、最も古い時期に生成されたファイル（以下、「最先のファイル」という。）を特定する。そして、当該ファイルの生成日時を取得する。
【００４１】
ファイル収集状況監視モジュール２８０は、最先のファイルの生成日時と、ファイルチェックしている現在日時との時間差を演算し取得する。そして演算により取得した時間差と、閾値とを比較し、閾値を超えているか否かを判断する。つまり、最先のファイルの生成が３時間前である場合は、ファイル名変換モジュール２７０によるファイルリネーム処理が遅延しているとして、異常を通知するものとする。一方、最先のファイルの生成が３時間以内であるときは、この時点におけるファイルリネーム処理は順調であると判断する。
【００４２】
当該第２の例においては、ファイル収集状況監視モジュール２８０による監視タイミングは、課金（前）ＣＤＲが生成されるタイミング（メディエーションシステム２００がネットワークエレメント１０１等から課金（前）ＣＤＲを取得するタイミング）より、時間単位の回数は少ないことが望ましい。こうすることで、メディエーションシステム２００の処理負荷を低く抑えることができる。
【００４３】
上述の実施の形態においては、課金ＣＤＲのファイル名が一定の秩序に基づいたシーケンシャルな定義に基づき生成される場合を例にとり、説明した。一方、ネットワークエレメント１０１等は、サービス機能やメーカ、ネットワーク世代等により、種類が様々であって、これらが出力するＲａｗ  ＣＤＲデータのフォーマットも様々である。このことは、当然に、定義されるファイル名のルールも様々であることを示唆している。
【００４４】
すなわち、例えば、ネットワークエレメント１０１等が出力するＲａｗ  ＣＤＲファイルのファイル名がシーケンシャルな定義に基づくことなく生成される場合、例えば、単なるタイムスタンプ（「２００６１１０６００．ｃｄｒ」、「２００６１１１１１１．ｃｄｒ」といったように、「ＹＹＹＹＭＭＤＤｈｈ．ｃｄｒ」）で生成される場合にあっては、上記ファイル情報テーブル５００やディレクトリ参照コマンドによるファイルリスティングにおいて、オペレータの視覚により、ファイル欠損を直視的に確認することができない場合がある。このように、ファイル名がシーケンシャルに定義されていない場合においては、サブＩＤを定義する定義用テーブルを保持するようにしてもよい。
【００４５】
当該定義用テーブルには、例えば、００００から９９９９までのＩＤを有した１万行のデータカラムを有しており、課金ＣＤＲが生成される毎に、このＩＤとファイル名とを一義的に定義するようにする。つまり、２００６年１１月６日０時２分に生成された「２００６１１０６００．ｃｄｒ」を「ＩＤ００００」のデータカラムに定義し、同年同月同日０時３８分に生成された「２００６１１０６００．ｃｄｒ」を「ＩＤ０００１」のデータカラムに定義する。以下、順次定義してゆき、その後は上述のファイル収集処理と同様の処理を行うようにすればよい。
このように構成することにより、ファイル名をシーケンシャルなものとすることができるので、オペレータの視覚により、ファイル欠損を直視的に確認することができ、終局的にはＣＤＲファイルの収集異常による請求漏れ、請求遅延のリスクを回避することができるようになる。
【００４６】
なお、本実施の形態としてのプログラムが実行されるコンピュータのハードウェア構成は、図５に示すように、一般的なコンピュータであり、具体的には本実施の形態による処理以外にも多くの処理を高速に実行することができるサーバーとなりうるようなコンピュータである。フィルタリング・フォーマット変換モジュール２３０、ファイル名変更モジュール２７０、ファイル収集状況監視モジュール２８０等のプログラムを実行するＣＰＵ１０１０と、そのプログラムやデータを記憶するＲＡＭ１０３０と、本コンピュータを起動するためのプログラム等が格納されているＲＯＭ１０２０と、補助記憶装置であるＨＤ１０４０と、キーボード、マウス等から操作者の操作によってデータを入力またはＣＲＴや液晶ディスプレイ等にデータを出力して操作者とのインタフェースとなるＵＩ／Ｆ１０５０と、ＣＤ−Ｒ等のリムーバブルメディアに対して読み書きするリムーバブルメディアリーダーライター１０６０と、通信ネットワークと接続するための通信回線Ｉ／Ｆ１０７０、そして、それらをつないでデータのやりとりをするためのバス１０８０により構成されている。これらのコンピュータが複数台互いに通信ネットワークによって接続されていてもよい。
【００４７】
なお、図５に示すハードウェア構成は、１つの構成例を示すものであり、本実施の形態は、図５に示す構成に限らず、本実施の形態において説明したモジュールを実行可能な構成であればよい。例えば、一部のモジュールを専用のハードウェア（例えばＡＳＩＣ等）で構成してもよい。
【００４８】
前記実施の形態においては、携帯電話を使用した通信サービスを示したが、ＰＨＳ、通信端末、固定電話等を使用した通信サービスであってもよい。
また、前記実施の形態では、ファイル名変更モジュール２７０がファイル名に「Ｘ＿」を付加しているが、レイティングシステム３００がそのファイルを受信したことを記録する方法であれば、ファイル名を変更すること以外であってもよい。例えば、受信された課金ＣＤＲファイル名の一覧をテーブルに記憶するようにしてもよい。
【００４９】
なお、説明したプログラムについては、記録媒体に格納することも可能であり、その場合は、例えば以下の発明としても把握することができる。
通信サービスにおける通信情報ファイルを収集し、該通信情報ファイルをもとに課金計算を行うレイティングシステムへ該通信情報ファイルを送信する通信情報収集システムにより実行される監視プログラムを記録した前記通信情報収集システムが読み取り可能な記録媒体であって、
前記通信情報収集システムに、
前記レイティングシステムへ通信情報ファイルを送信し、該レイティングシステムが前記通信情報ファイルを受信した旨の通知を受信して、該受信を記録し、
前記記録がされておらず、かつ生成されてから一定時間以上経過している通信情報ファイルがあるか否かを、一定時間毎に判断することによって、前記通信情報ファイルの収集状況を監視する
ことを実行させるための監視プログラムを記録した前記通信情報収集システムが読み取り可能な記録媒体。
【００５０】
通信サービスにおける通信情報ファイルを収集し、該通信情報ファイルをもとに課金計算を行うレイティングシステムへ該通信情報ファイルを送信する通信情報収集システムにより実行される監視プログラムを記録した前記通信情報収集システムが読み取り可能な記録媒体であって、
前記通信情報収集システムに、
前記レイティングシステムへ通信情報ファイルを送信し、該レイティングシステムからのファイル名変更要求を受信して、前記送信した通信情報ファイルのファイル名を変更し、
ファイル名が変更されておらず、かつ生成されてから一定時間以上経過している通信情報ファイルがあるか否かを、一定時間毎に判断することによって、前記通信情報ファイルの収集状況を監視する
ことを実行させるための監視プログラムを記録した前記通信情報収集システムが読み取り可能な記録媒体。
【００５１】
通信サービスにおける通信情報ファイルを収集し、該通信情報ファイルをもとに課金計算を行うレイティングシステムと、該レイティングシステムと通信回線を介して接続されており、該レイティングシステムに対して前記通信情報ファイルを送信するメディエーションシステムからなる通信情報処理システム内の前記レイティングシステムと前記メディエーションシステムに実行させるための通信情報処理プログラムを記録した前記通信情報処理システムが読み取り可能な記録媒体であって、
前記レイティングシステムに、
前記メディエーションシステムに対して、通信情報ファイルの送信を要求し、
前記要求した通信情報ファイルを受信し、
前記メディエーションシステムに対して、前記受信した通信情報ファイルのファイル名の変更を要求する
ことを実行させ、
前記メディエーションシステムに、
前記レイティングシステムからのファイル送信要求に応じて、要求された通信情報ファイルを、該レイティングシステムに対して送信し、
前記レイティングシステムからのファイル名変更要求に応じて、前記送信した通信情報ファイルのファイル名を変更し、
ファイル名が変更されておらず、かつ生成されてから一定時間以上経過している通信情報ファイルがあるか否かを、一定時間毎に判断することによって、前記通信情報ファイルの収集状況を監視する
ことを実行させるための通信情報処理プログラムを記録した前記通信情報処理システムが読み取り可能な記録媒体。
【００５２】
「プログラムを記録した通信情報収集システムが読み取り可能な記録媒体」、「プログラムを記録した通信情報処理システムが読み取り可能な記録媒体」とは、プログラムのインストール、実行、プログラムの流通などのために用いられる、プログラムが記録された通信情報収集システムまたは通信情報処理システムで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。
【図面の簡単な説明】
【００５３】
【図１】本実施の形態に係るレイティングシステム、メディエーションシステムの概念的なモジュール構成例を示すブロック図である。
【図２】携帯電話を使用することによってＣＤＲファイルが発生することを示す説明図である。
【図３】レイティングシステム、メディエーションシステム間の処理手順例を示すフローチャートである。
【図４】ＣＤＲファイルの収集状況管理テーブルの一例を示す説明図である。
【図５】本実施の形態を実現するコンピュータのハードウェア構成例を示すブロック図である。
【符号の説明】
【００５４】
１０１、１０２…ネットワークエレメント
１１１、１１２…Ｒａｗ  ＣＤＲファイル記憶モジュール
１２１、１２２…通信モジュール
２００…メディエーションシステム
２１０…通信（ＮＥ）モジュール
２２０…Ｒａｗ  ＣＤＲファイル記憶モジュール
２３０…フィルタリング・フォーマット変換モジュール
２４０…課金（前）ＣＤＲファイル記憶モジュール
２５０…通信（ＲＳ）モジュール
２６０…ファイル送信モジュール
２７０…ファイル名変更モジュール
２８０…ファイル収集状況監視モジュール
３００…レイティングシステム
３１０…通信モジュール
３２０…課金（後）ＣＤＲファイル記憶モジュール
３３０…ファイル要求モジュール
３４０…ファイル名変更要求モジュール
３５０…課金処理モジュール
４０１、４０２…携帯電話
４０３、４０４…基地局
４０５…ＭＳＣ
４０６…ＳＭＳＣ
４０７…ＧＳＮ
４０８…ＷＧＷ
４０９…インターネット
【図１】
2008141285.tif 000003
【図２】
2008141285.tif 000004
【図３】
2008141285.tif 000005
【図４】
2008141285.tif 000006
【図５】
2008141285.tif 000007